Podtech/llm-jp-corpus-v4-ja_patent huggingface dataset:
(57)【要約】【課題】行政の更なる負担なしに、放置された二輪車の位置を収集し、撤去できない。【解決手段】一般の人のカメラ付携帯端末を利用し、放置二輪車に添付されたシールを撮影することにより、自動的に放置された二輪車の位置と時刻を所有者本人と関連機関に通知することにより、放置二輪車を所有者本人に返却し易くする。【選択図】図１
2014115765.tif 000002
【特許請求の範囲】
【請求項１】
写真を撮影する機能と同時に位置を測定する機能を持ち、二輪車に貼り付けられたまたは付された特定のシール等を撮影し、撮影された写真から特定される情報と撮影した位置を共に送信する二輪車位置通知装置。
【請求項２】
計時機能を持ち、撮影された写真から特定される情報と撮影した位置と撮影時刻を共に送信する請求項１の二輪車位置通知装置。
【請求項３】
前出の貼り付けられたまたは付された特定のシール等の種類を自動的に判別し、送信する先を変更する機能を有する請求項１または２の二輪車位置通知装置。
【請求項４】
請求項１〜３の二輪車位置通知装置から送信された特定される情報と撮影した位置と時刻を受信し、その情報、位置と時刻を蓄積し、あらかじめ登録された通知先に自動で通知する二輪車位置通知装置。
【請求項５】
請求項１〜４の二輪車位置通知装置から送信された情報を受信・表示する二輪車位置受信表示装置。
【請求項６】
情報の送信に、公衆無線回線を使用する請求項１〜４の二輪車位置通知装置。
【請求項７】
情報の受信に、公衆無線回線を使用する請求項５の二輪車位置受信表示装置。
【発明の詳細な説明】
【技術分野】
【０００１】
本発明は、放置された二輪車の位置を通知し、可能な限りその二輪車の持ち主または関連機関に放置されている位置と時刻を通知する装置に関するものである。
【背景技術】
【０００２】
近年、環境問題と震災直後の対応行動の観点から、通勤等の移動に二輪車を使用する人が多くなっている状況です。それに伴い、駐輪場も徐々に増えてきていますが、駐輪場スペースの絶対的不足により、放置されている二輪車が増加してきています。行政も人を割いて、対策に力を入れていますが、放置二輪車の数が多く手が回らない状況である。
【先行技術文献】
【特許文献】
【０００３】
【特許文献１】特開２００６−２０９３９１号公報
【発明の概要】
【発明が解決しようとする課題】
【０００４】
解決しようとする問題点は、行政の負担を増加させず、放置されている二輪車を減少させる点である。
【課題を解決するための手段】
【０００５】
本発明は、一般の人のカメラ付携帯端末を利用し、放置二輪車に添付されたシールを撮影することにより、自動的に放置された二輪車の位置と時刻を所有者本人と関連機関に通知することにより、放置二輪車を所有者本人に返却し易くすることを最も主要な特徴とする。
【発明の効果】
【０００６】
本発明のシステムは、行政の負担を増加させず、放置されている二輪車を減少させる。
【図面の簡単な説明】
【０００７】
【図１】図１は本件発明の放置二輪車位置通知システムの実施方法を示した説明図である。
【図２】図２は本件発明に使用される二輪車に添付される防犯登録シールの例である。
【図３】図３は本件発明に使用される二輪車に添付される駐輪許可シールの例である。
【発明を実施するための形態】
【０００８】
本発明は、１台以上のカメラ付携帯端末、サーバー、１台以上の受信端末を最小構成として実現する。
【実施例】
【０００９】
図１は、本発明装置の１実施例の構成図であって、１は放置された二輪車（以下、放置車と略す）で、２はカメラ付携帯端末、３はインターネット、４はクラウド・サーバー、５は駐輪場または放置車の管理者、６は放置車の所有者、７と８はデータの流れを示している。
【００１０】
端末Ａ２は、放置車１に添付しているシールを撮影し、シールに記載された情報と同時に撮影時刻と撮影位置を７の経路でクラウド・サーバー４へ送信する。クラウド・サーバー４は、受信した情報を基に、内部のデータベースから管理者５の連絡先と所有者６の連絡先の両方または一方を検索し、検索された連絡先に、８の経路で放置車の情報と撮影時刻と撮影位置を送信する。
【００１１】
図２は、本発明システムに使用する防犯シールの例を示している。９は防犯シールそのもので、１０は防犯シール９に記載される情報を示す図形である。本例では、二次元バーコードとしているが、通常のバーコードなど、コードを示す図形であれば、何でも良い。
【００１２】
図３は、本発明システムに使用する駐輪許可シールの例を示している。１１は駐輪許可シールそのもので、１２は駐輪許可シール１１に記載される情報を示す図形である。本例では、二次元バーコードとしているが、通常のバーコードなど、コードを示す図形であれば、何でも良い。
【産業上の利用可能性】
【００１３】
行政の負担を増加させず、放置されている二輪車を減少させることができる。
【符号の説明】
【００１４】
１    放置された自転車
２    カメラ付携帯端末Ａ
３    インターネット網
４    クラウド・サーバー
５    駐輪場（管理者）
６    所有者
７〜８    情報の流れ
９    防犯シールの例
１０    二輪車を特定する情報を含む図形
１１  駐輪許可シールの例
１２    二輪車を特定する情報を含む図形
【図１】
2014115765.tif 000003
【図２】
2014115765.tif 000004
【図３】
2014115765.tif 000005
(57)【要約】      （修正有）【課題】デジタルサイネージや屋外広告装置において、広告閲覧者が商品の詳しい内容を知りたい場合に商品の情報を容易に探すことが可能な広告装置を提供する。【解決手段】デジタルサイネージや屋外広告１に併設した、インターネットに接続されたビデオ通話装置２と広告主側の端末装置による広告システムにより、訴求力の高い広告と営業活動を行えるようにする。【選択図】図１
2014115582.tif 000002
【特許請求の範囲】
【請求項１】
デジタルサイネージ、屋外広告に併設するビデオ通話を利用した商品広告システム。
【発明の詳細な説明】
【技術分野】
【０００１】
販売者、広告事業主が自身の商品、サービスの広告をインターネットによるビデオ通話によって行う広告システムに関する。
【背景技術】
【０００２】
近年、企業等における宣伝広告の形態として、街頭もしくはビル等に商品名もしくは企業名等を記載した看板を設置する形態以外に、デジタルデータを表示するディスプレイを設置し、このディスプレイに広告を表示するデジタルサイネージと呼ばれる広告媒体を用いた形態が増加している。
【先行技術文献】
【特許文献】
【０００３】
【特許文献１】特開２００６−７１８５２号公報
【発明の概要】
【発明が解決しようとする課題】
【０００４】
しかし、従来、広告閲覧者には、広告主の連絡先を調査したり、商品をインターネットで検索したりする手間が発生する。そのため、広告閲覧者は、結局広告主や商品にアクセスをしない場合が多く、広告主からすると商品を販売する機会を失うという問題があった。そこで本発明は広告閲覧者と広告主をビデオ通話で繋ぐことで、商品の詳細を説明し、広告効果を高めることを目的とする。
【課題を解決するための手段】
【０００５】
上記目的を達成するために、請求項１記載の発明は、広告主が携帯端末を利用し、ビデオ通話で商品の情報を広告閲覧者へ提供することを特徴とする。
【発明の効果】
【０００６】
本発明によって、広告閲覧者が商品の内容について詳細に知ることができる。
【０００７】
また、双方向のコミュニケーションが発生するため、商品の販売に繋げやすくなる。
【発明を実施するための最良の形態】
【０００８】
広告に併設するビデオ通話の手段としてインターネットに接続したコンピュータ、モニター、カメラ、マイクを用い、広告主側のビデオ通話の手段にはインターネットに接続したタブレット型パソコン若しくはスマートフォン型携帯端末を用いる。携帯端末によって広告主は容易に商品の詳細について撮影することができる。
【実施例】
【０００９】
以下に実施例を挙げ、本発明の広告システムについて、図面を参照して詳細に説明する。図１は、この発明に係わる広告システムを利用した屋外広告の実施例である。図２は、この発明に係わる広告システムの構成ブロック図である。
【００１０】
図１において、屋外広告１を見た広告閲覧者は広告に併設されたビデオ通話用モニター２に対して話しかけ問い合わせる。
【００１１】
広告閲覧者の声と映像は、広告に併設されたビデオ通話用モニター２とマイク５とスピーカー６とカメラ７が取り付けられインターネットに繋がったコンピュータ３から、広告主のインターネットが繋がった携帯端末４へ提供される（矢印A）。
【００１２】
広告主はインターネットに繋がった携帯端末４からビデオ通話を使って商品についての詳しい説明を行う（矢印B）。
【産業上の利用可能性】
【００１３】
駅などの人通りのある場所での営業活動が効果的である。また、広告システムの管理運営費用は広告収入によって主に賄われる。
【図面の簡単な説明】
【００１４】
【図１】この発明に係わる屋外広告の実施例である。
【図２】この発明に係わる広告システムの構成ブロック図である。
【符号の説明】
【００１５】
１ 屋外広告
２ 広告に併設されたビデオ通話用モニター２
３ インターネットに繋がったコンピュータ３
４ 広告主のインターネットが繋がった携帯端末４
５ マイク
６ スピーカー
７ カメラ
A  広告閲覧者からの問い合わせ
B  広告主からの詳しい説明
【図１】
2014115582.tif 000003
【図２】
2014115582.tif 000004
(57)【要約】【課題】  外で財布からお札を出そうとする時や名刺を出す時、手が乾燥していると、正確な枚数を数えることが瞬時には難しく、支払った後、不安が残る。けれど手を舐めて数えると不潔だし、他人への見た目も悪いし、相手に不快を与える。  本発明は外でお札や名刺を瞬時に清潔で安心して渡せるための小物を提供する。【解決手段】  薄い透明のプラスチックのくぼみに指先のスベリ止め剤等を入れ、くぼみの底と財布のお札入れの隅とを後のつかない両面テープでとめるか、又は札入れや名刺入れの中にサイズをカットすることができるカードタイプの物を挿し込むようにした。【選択図】図１
2014079538.tif 000002
【特許請求の範囲】
【請求項１】
２．５センチ正方で、角は丸みをつけた薄いプラスチックの板の中央部分に直径１．５センチ、深さ０．５センチのくぼみをつけ、その中に指先のスベリ止め剤等を入れ、底には剥がせる両面テープを取り付けて財布のお札入れの中に貼り付けておくと外出先でお札を数える時、指先を舐めずに瞬時に正確に取リ出せる小物。
【請求項２】
縦７センチ、横１５センチで、角は丸みをつけた薄いプラスチックの板の右上部に直径１．５センチ、深さ０．５センチのくぼみをつけ、その中に指先のスベリ止め剤等を入れ、財布の札入れ部や名刺入れに挿し込むと（サイズは財布や名刺入れに合わせて切ればいい）外出先でお札を数える時や名刺を出す時、指先を舐めずに瞬時に正確に取り出せる小物。
【発明の詳細な説明】
【技術分野】
【０００１】  本発明は、外出先で財布からお金を取り出す時や名刺入れから名刺を出す時、瞬時に正確に取り出せる小物に関するものである。
【背景技術】
【０００２】  従来、お金や書類を数える物は事務用品として指先のスベリ止め剤等が円形のプラスチック容器に入っていた。
【発明の概要】
【発明が解決しようとする課題】
【０００３】  外で財布からお札を出す時、手が乾燥していて正確な枚数を数えることが瞬時には難しく、過分に支払ってしまったのではないかと不安が残る場合もよくある。又、名刺入れから名刺を取り出す時も、手が乾燥している時は、瞬時に必要な枚数を取り出す事が難しい。オフィス内や家の中では、スポンジを濡らした物や指先のスベリ止め剤等を使うことで、これらの不都合を回避できる。しかし外出先ではスポンジ等を財布や名刺入れの中に入れることもできないため、有効な解決法がなかった。
本発明は、以上の問題点を解決するためになされたものである。
【課題を解決するための手段】
【０００４】  薄い透明のプラスチック容器に指先スベリ止め剤等を入れ、容器の底と財布のお札入れの隅とを後のつかない両面テープでとめるか、又は札入れや名刺入れの中にカードタイプの物を挿し込む。
【発明の効果】
【０００５】  従来、外出先などで、お札や名刺を出す時、指先に唾液をつけて湿らせて対処することが多々あったが、本発明により、舐めることなく衛生的に確実にしかも相手に不快感を抱かすことなく出すことができる。
【図面の簡単な説明】
【０００６】
【図１】本発明の両面テープで貼り付けるタイプの平面図
【図２】本発明の挿し込むカード型タイプの平面図
【図３】本発明の［図１］の側面図
【図４】本発明の［図２］の側面図
【発明を実施するための形態】
【０００７】  以下、本発明の実施の形態を説明する。
（イ）両面テープで貼り付ける［図１］のタイプは直径１．５センチで深さ０．５センチのくぼみ、周りは０．５センチの幅の枠でくぼみの底から０．４センチまで指先のスベリ止め剤等を入れる。
（ロ）財布や名刺入れに挿し込む［図２］のタイプは指先のスベリ止め剤等を入れるくぼみは同じ大きさだが裏には両面テープをつけないで、枠を縦７センチ、横１５センチの大きさにしておく。
（ハ）すべて枠の四隅は怪我をしないように丸みをつけてある。
（ニ）円形のくぼみの底も丸みをつけ、指先のスベリ止め剤等を最後まで使えるようにする。
本発明は以上のような構造である。
本発明を使用する時、［図１］は財布、又、［図２］は大きな財布や名刺入れに適していて周りの枠をそれぞれの大きさにカットすればよい。
お札や名刺を出す時は人差し指に指先のスベリ止め剤等をつけ、次に親指、中指の三本をこすり合わすとしっかり数えることができる。
【符号の説明】
【０００８】  １  プラスチック枠、２  指先のスベリ止め剤等、３  両面テープ
【図１】
2014079538.tif 000003
【図２】
2014079538.tif 000004
【図３】
2014079538.tif 000005
【図４】
2014079538.tif 000006
(57)【要約】【課題】  腕に障害を持った方でも自分で背中が洗えるようにするため、ループ状のボディタオルを提供する。【解決の手段】  ボディタオルの両端を接合してループ状にした構造（１）をなすループ状のボディタオルを特徴とする。【選択図】図１
2014079540.tif 000002
【特許請求の範囲】
【請求項１】
ボディタオルの両端を接合してループ状にした構造（１）をなすループ状ボディタオル。
【発明の詳細な説明】
【技術分野】
【０００１】  この発明は、ボディタオルの両端を接合してループ状にした構造（１）をなすループ状のボディタオルに関するものである。
【背景技術】
【０００２】  従来、お風呂用のボディタオルは一枚の長方形をしたタイプであった。
【発明の開示】
【発明が解決しようとする課題】
【０００３】  これには、次のような欠点があった。
片腕に麻痺障害を持った方が従来のタオルで背中を洗おうとすると、麻痺障害を持った方の手でタオルの片側を支えることが出来ず、背中を洗うには適さなかった。本発明は、以上のような欠点をなくすためになされたものである。
【課題を解決するための手段】
【０００４】  ボディタオルの両端を接合してループ状にした構造（１）をなすループ状のボディタオルを設ける。
本発明は、以上の構成よりなるお風呂で体を洗うために使用するループ状のボディタオルである。
【発明の効果】
【０００５】  ボディタオルがループ状になっているため、腕に麻痺障害のある方でもループの中に手首や前腕部分を入れてタオル片側を固定することができ、自分の力で背中を洗うことが可能となる。
【発明を実施するための最良の形態】
【０００６】  以下、本発明を実施するための最良の形態について説明する。
ボディタオルをループ状にした構造のループ状のボディタオルである。腕に麻痺障害を持った方が利用する場合は、ループの一方の端に麻痺障害を持った方の手首または前腕部分を入れて固定し、もう一方の端を反対側の手で持って背中部分を洗う。
【図面の簡単な説明】
【０００７】
【図１】  本発明の斜視図である。
【符号の説明】
【０００８】１  ループ状のボディタオル
２  ループ
【図１】
2014079540.tif 000003
(57)【要約】      （修正有）【課題】持ちずらいレジ袋を持ちやすいようにするための手提げ財布の提供。【解決手段】両手でもレジ袋が持てるように小銭入れ（ウ）を二重にし、二つ折りにして、レジ袋の手提げ部分に通してレジ袋を持ちやすくした。【選択図】図１
2014079539.tif 000002
【特許請求の範囲】
【請求項１】
小銭入れ財布で、持ちづらいレジ袋を楽に持てるように二つ折りに出来るようにしたものである。
【請求項２】
財布から小銭入れと小物入れが、二つとも外せるようにしたものである。
【請求項３】
ハンドバックにも同様に、小物入れが取り外せるようにしたものである。
【発明の詳細な説明】
【技術分野】
【０００１】  小銭入れを二つに合わせ、一つづつ取り外せるようにし、二つとも真ん中で折り畳めるようにしたものである。
【背景技術】
【０００２】  買い物の時、レジ袋が手の指、手の平に食い込んで手が痛くなるのを防ぎ、持ちやすいようにしたものである。
【発明の開示】
【発明が解決しようとする課題】
【０００３】  レジ袋が持ちづらく、手の指に食い込んで痛くなる事を防ぎ、持ちやすく両手でも持てるように小銭入れを二つに取り外せ、二つ折りになるようにしたものである。
また、財布からも小銭入れと小物入れが、取り外せるようにしたものである。
【課題を解決するための手段】
【０００４】  皮、または合皮、布で二つに折り畳めレジ袋の手提げ部分を挟むようにした、小銭入れ、小物入れで財布である。
【発明の効果】
【０００５】  見るより明らかで、今以上に多くの買い物ができ、手の指も痛くなく楽である。
【発明を実施するための最良の形態】
【０００６】  小銭入れ、小物入れでレジ袋が持ちやすくなることで、より多くの買い物をする事でき、財布が二つになる事で両手でも持ちやすくした最良の形態である。
【実施例】
【０００７】  買い物が楽で、誰もが求めていた物で、財布、小銭入れは買い物の時は付きもので財布でレジ袋を持ちやすくした、画期的な小銭入れ、小物入れである。
【産業上の利用可能性】
【０００８】  誰でもが、レジ袋に不満を持っていて重くなると、手が痛いので買い物を控えていたが、手の指に食い込まない事で持ちやすく、特に女性や老人に優しい手提げ財布であり産業上の利用は大である。
【図面の簡単な説明】
【０００９】
【図１】図面の名称  Ａ  財布の小銭入れ、小物入れを取り外す事のできる正面図  Ｂ  財布と小銭入れの側面図の断面図  Ｃ  小銭入れを財布から外した正面図  Ｄ  小銭入れを財布から外した側面の断面図  Ｅ  小銭入れの側面図  Ｆ  小銭入れを広げた内側の図  （ア）財布  （イ）ホック（留め金）  （ウ）小銭入れ、小物入れ  （エ）マジックテープ  （オ）クッション  （カ）折れ線
【図１】
2014079539.tif 000003
(57)【要約】【課題】従来の正多面体のサイコロは次の欠点があった。サイコロに数字や文章を記入してゲーム、余興、パーティー及び記憶物として利用する場合、同じ面の数しか表現出来なかった。【解決の手段】正多角形板より同形状を持った垂直板を片側又は両方向に垂直に設けこの垂直板より水平方向に設けたストッパー間の隙間を設け、正多角形板の中心部より上下に上側凸起、下側凸起を設ける事により構成した隙間に区切り線、数字文章及び図を記入した多角形カードを差し込む事によるコマ形状の正多角形板を持ったサイコロ。【選択図】図１
2014079551.tif 000002
【特許請求の範囲】
【請求項１】
正多角形の形状を持った正多角形板（１）を水平方向に設け、同形状の垂直板（２）を片側又は両方向に垂直に設けこの垂直板（２）より水平方向に複数のストッパー（３）を設けこのストッパー（３）と正多角形板（１）間に隙間（１２）を設け更に正多角形板（１）の中心部より上下に上側凸起（４）、下側凸起（５）を設け先端に球面形状の先端部（６）をそれぞれ設け、隙間（１２）に多角形カード（７）を差し込む事によるコマ形状の正多角形板を持ったサイコロ。
【請求項２】
正多角形板（１）と同形状の多角形カード（７）に複数の区切り線（８）を設け数字（９）、文章及び図（１０）を記入し中心部に穴（１１）を設けた多角形カード（７）を隙間（１２）に差し込む事によりなるコマ形状の正多角形板を持ったサイコロ。
【発明の詳細な説明】
【技術分野】
【０００１】本発明のサイコロは従来のサイコロに比べ何倍の種類の数字及び文章の表現を実現するコマ形状のサイコロである。
【背景技術】
【０００２】従来のサイコロは同じ面の数しか数字及び文章を表現出来なかった。
【発明の概要】
【発明が解決しようとする課題】
【０００３】従来の正多面体のサイコロは次の欠点があった。
サイコロに数字や文章を記入してゲーム、余興、パーティー及び記憶物として利用する場合、同じ面の数しか表現出来なかった。
【課題を解決する手段】
【０００４】（イ）上記の問題点を解決する為、水平形状の正多角形板（１）より同形状の垂直板（２）を設ける。
（ロ）垂直板（２）より水平ストッパー（３）を内側方向に複数個設け隙間（１２）を設ける。
（ハ）正多角形板（１）の中心より上側方向に上側凸起（４）、下側方向に先端に球面形状の先端部（６）を持った下側凸起（５）をそれぞれ垂直方向に設ける。
（ニ）図３は正多角形板（１）の中心より上下に上側凸起（４）、下側方向に下側凸起（５）及び垂直板（２）を設けた場合でそれぞれ長さ、形状は同程度とする。
（ホ）図６は正多角形板（１）と同形状の多角形カード（７）に区切り線（８）を設け数字（９）、文章及び図（１０）を記入し中心部に穴（１１）を設ける。
（ヘ）正多角形板（１）の頂点の数は用途により自由であるが本説明では正１２多角形で説明する。
（ト）図６は区切り線（８）を１２にすると１〜１２の数字（９）、文章及び図（１０）を表現出来る。
（チ）図７は区切り線（８）を６にすると１〜６の数字（９）、文章及び図（１０）を表現出来る。
（リ）図８は区切り線（８）を４にすると１〜４の数字（９）、文章及び図（１０）を表現出来る。
（ル）図９は区切り線（８）を３にすると１〜３の数字（９）、文章及び図（１０）を表現出来る。
（ヌ）図１０は区切り線（８）を２にすると１〜２の数字（９）、文章及び図（１０）を表現出来る。
【発明の効果】
【０００５】その結果、次の効果が生じる．
（イ）正多角形板（１）の頂点の数は用途により自由であるが仮に１２角形で設計した場合で説明する。
（ロ）多角形カード（７）を隙間（１２）に差し込む事により１〜１２、１〜６、１〜４、１〜３、１〜２の５種類の数字（９）、文章及び図（１０）の表現が出来、５種類のサイコロを１個で出来る。
（ハ）一般に使用している正６角形のサイコロに比べ１〜１２の多角形カード（７）を使用すると２倍の速さ及び変化を楽しむ事が出来る。
（ニ）１、４の多角形カード（７）を使用すると約６７％、１〜３の時は５０％、１〜２の時は約３４％速さに遅くなりゆっくりとゲームが出来る。
（ホ）文章及び図（１０）の所に座右の名、詩、歌、罰ゲイム、星占い、干支、運命、漢字、数字、英単語等を記入出来る。
（ヘ）図３に示す様に表裏に多角形カード（７）を差し込む為の、隙間（１２）を設けるとカードを差し替える手間がはぶける。
（ト）多角形カード（７）は紙に印刷するだけで簡単に安く出来る。
（チ）従来のサイコロにはなかった記憶目的に利用出来る。
【図面の簡単な説明】
【０００６】
【図１】本発明の使用斜視図である．
【図２】本発明の断面図である．
【図３】本発明の断面図である．
【図４】本発明の平面図である．
【図５】本発明の側面図である．
【図６】本発明の１２分割した多角形カードである。
【図７】本発明の６分割した多角形カードである。
【図８】本発明の４分割した多角形カードである。
【図９】本発明の３分割した多角形カードである。
【図１０】本発明の２分割した多角形カードである。
【発明を実施するための形態】
【０００７】以下本発明の実施の形態を説明する。
（イ）多角形カード（７）を隙間（１２）に差し込むと複数のストッパー（３）がカバーして簡単に外れない。
（ロ）使用方法の１として上側凸起（４）を指で廻すと回転後倒れ図５の状態で机、床等に接している位置の数字（９）文章及び図（１０）を読む。
（ハ）使用方法の２として正多角形板（１）を机、床等に垂直にして倒したい側に少し力をいれ転がす。
（ニ）使用方法の３として下側凸起（５）にひもを巻きまわす。
（ホ）従来のサイコロに比べ先端部が回りながら倒れる時に１２方向に着地するので変化、スリルを楽しむ事が出来る。
（ヘ）図３に示す様に表裏に多角形カード（７）を隙間（１２）に差し込むと先端部（６）を上下に変えるだけで２種類のゲームが出来る。
【符号の説明】１．正多角形板  ２．垂直板  ３．ストッパー  ４．上側凸起  ５．下側凸起
６．先端部  ７．多角形カード  ８．区切り線  ９．数字  １０．文章及び図
１１．穴  １２．隙間
【図１】
2014079551.tif 000003
【図２】
2014079551.tif 000004
【図３】
2014079551.tif 000005
【図４】
2014079551.tif 000006
【図５】
2014079551.tif 000007
【図６】
2014079551.tif 000008
【図７】
2014079551.tif 000009
【図８】
2014079551.tif 000010
【図９】
2014079551.tif 000011
【図１０】
2014079551.tif 000012
(57)【要約】      （修正有）【課題】直射日光、紫外線から顔、頭を保護する。【解決手段】傘骨の先端から垂直に下がるのれん状の布１をつけ、直射日光を遮り、紫外線から顔、頭を保護するようにした。【選択図】図１
2014079547.tif 000002
【特許請求の範囲】
【請求項１】
傘骨先端周囲に垂直に下がるのれん布１が直射日光、紫外線を遮る効果を目的とした日傘のれん、垂直に垂れ下がる布は着脱可能にしたもので、好みで前が透けて見えるレース布からカラフルな柄模様に付け替えることができる。またのれんが涼風を呼びファッション性に優れ優雅な日傘のれんを提供する。
【発明の詳細な説明】
【発明の詳細な説明】
【０００１】
【技術分野】
【０００２】本発明は日傘の傘骨周囲の先端から垂直に下がる布が直射日光、紫外線から身を守る目的で考案したもので、垂直に下がるのれん状の布は、好みによりカラフルな模様から見通しの聞く網目状の布で傘周囲に脱着可能にした日傘のれんである。
【背景技術】
【０００３】従来の日傘は天井部分から傘骨先端に沿ってなだらかな傾斜で終わっていたが、本発明の日傘は傘骨先端より垂直にのれん状の布が下に垂れ下がり遮光効果を上げるものである。
【発明の開示】
【発明が解決しようとする課題】
【０００４】従来の日傘は傾斜が浅いため直射日光を避けるためには傘を片向けていたが、十分な遮光効果が得られなかったが、本発明は傘骨先端周囲を垂直に布がのれん状に垂れ下がり紫外線から直射日光を遮断する効果がある。また傘骨先端は安全緩衝材が布で保護されている。
【発明の実施形態】
【０００５】以下、本発明の実施の形態について説明する。
【発明の効果】
【０００６】日傘は男性も一部使用されていますが、本来は女性専用の傘として一般的に使用されています。暑さ、日焼けにおいては男女平等に感じる物である。傘先端の垂直に垂れ下がる布は、ひらひらと風を呼び込む作用と歩行中に顔を少し隠す効果もあり、本人は基より外部から見ても涼しさを感じる傘は、涼風を呼び、遮光効果は大きく、男女を問わず使用が可能で折りたたみ傘としてコンパクトに持ち歩くことができる。
【図面の簡単な説明】
【０００７】
【図１】  本発明の正面図である。
【図２】  本発明の表面図である。
【図３】  本発明の裏面図である。
【図４】  本発明の表面斜視図である。
【図５】  本発明の裏面斜視図である。
【図６】  本発明の使用図である。
【図７】  本発明の傘収納図である。
【符号の説明】
【０００８】１  日除けのれん
２  のれん接続部
３  傘骨
４  傘の柄
５  傘持ち手
６  折りたたみ傘収納図
【図１】
2014079547.tif 000003
【図２】
2014079547.tif 000004
【図３】
2014079547.tif 000005
【図４】
2014079547.tif 000006
【図５】
2014079547.tif 000007
【図６】
2014079547.tif 000008
【図７】
2014079547.tif 000009
【手続補正書】
【提出日】平成25年8月9日(2013.8.9)
【手続補正１】
【補正対象書類名】特許請求の範囲
【補正対象項目名】請求項１
【補正方法】変更
【補正の内容】
【請求項１】
傘骨先端周囲に垂直に下がるのれん布１が直射日光、紫外線を遮る効果を目的とした日傘のれんはのれんが涼風を呼びファッション性に優れ優雅な日傘のれんを提供する。
【手続補正２】
【補正対象書類名】明細書
【補正対象項目名】０００２
【補正方法】変更
【補正の内容】
【０００２】本発明は日傘の傘骨周囲の先端から垂直に下がる布が直射日光、紫外線から身を守る目的で開発したものである。
【手続補正３】
【補正対象書類名】明細書
【補正対象項目名】０００８
【補正方法】変更
【補正の内容】
【０００８】危険な傘骨先端部が傘布で保護されている
【手続補正４】
【補正対象書類名】図面
【補正対象項目名】全図
【補正方法】変更
【補正の内容】
【図１】
2014079547.tif 000010
【図２】
2014079547.tif 000011
【図３】
2014079547.tif 000012
【図４】
2014079547.tif 000013
【図５】
2014079547.tif 000014
【図６】
2014079547.tif 000015
【図７】
2014079547.tif 000016
(57)【要約】      （修正有）【課題】便尿止めパットの肌当て面に、防水、通気性を併せ持つシートを使用した便尿止めパットを提供する。【解決手段】尿取りパットに浸み込む、便尿が肌を刺激する、これを発明パットは、防水性を持ち肌当て面１には、通気性を併せ持つシートを使用した事を特徴としたパットである。【選択図】図１
2014079549.tif 000002
【特許請求の範囲】
【請求項１】
発明、便尿止めパット（Ａ）は、肌当て部▲１▼に防水性、通気性を併せ持つシートを使用した事を特徴としたパットである。
【発明の詳細な説明】
【技術分野】
【０００１】本発明は、尿取りパットの上に使用し、便尿を阻止、腰下の通気を保持する。
【背景技術】
【０００２】従来では、腰下の肌の痛みは、薬やガーゼなどで保護する。
【発明の開示】
【発明が解決しようとする課題】
【０００３】そのためつぎのような問題点があった
（イ）  便尿の液は、弱った肌には強く悪化する、
【課題を解決するための手段】
【０００４】尿取りパットの腰当て部に、防水で出来たパット、肌当てシートは、通気性と防水を併せ持つシートを使ったパットを使用する。
【発明の効果】
【０００５】発明のパットは、体重により肌に密着、便尿の侵入は無く肌当て面▲１▼は便尿の阻止、通気性の保持で肌を守ります。、
【発明を実施するための最良の形態】
【０００６】      以下本発明の形態について説明する、
（図１）より説明
（イ）  図１は、発明（Ａ）便尿止めパットの略断面図、
▲１▼は、通気性、防水を併せ持つシート、▲２▼は、吸湿クッション、▲３▼は、防水シート、からなるパットです、
（ロ）  図２は、オムツに発明（Ａ）をセットし、使用状態にした写真です。
【図面の簡単な説明】
【０００７】
【図１】本発明の略断面図
【図２】本発明パット（Ａ）を、オムツ、尿取りパットに使用状態にした写真です。
【符号の説明】
【０００８】      （Ａ）は、発明、便尿止めパット、
▲１▼は、通気性、防水を併せ持つシート、
▲２▼は、吸湿クッション
▲３▼は、防水シート
【図１】
2014079549.tif 000003
【図２】
2014079549.tif 000004
(57)【要約】      （修正有）【課題】用済みとなった消臭剤製品の容器や、保持器材が廃棄処分に於いて、環境負荷が小さい素材を提供する。【解決手段】繭の蛹を取り除いて、壷状の空間を作って容器に用い、消臭の為の薬剤を封じ込める。用済み後の廃棄処理は、これまでより遥かに容易になる。たとえ直接地中に埋設処分しても、腐敗分解してゆき、環境に害を及ぼす事は極めて少ない。また消臭のための薬剤を塗料に練り込み、繭の外面に塗布しても、同様の効果が得られる。【選択図】なし【特許請求の範囲】
【請求項１】
消臭剤の薬剤を収納する容器に、蛹を取り除いた繭を用いる消臭剤製品。
【請求項２】
消臭材の薬剤を塗布する対象の素材に、繭を用いる消臭剤製品。
【発明の詳細な説明】
【技術分野】
【０００１】市販の消臭剤製品の態様は種々多様で、液状・ゼリー状・粉末や顆粒などがある。固体では活性炭が著名だが、繊維やプラスチックスに練り込まれたものもある。
【背景技術】
【０００２】消臭剤製品の容器や保持具の多くは、ガラスや陶磁器、プラスチックス等の壜・箱が用いられている。これらの素材は、製品が用済み後の廃棄処理に於いて、環境への負荷を小さくする事が求められている。たとえば生分解性のプラスチックスの開発や、リサイクルの徹底などの活動である。
【発明の概要】
【発明が解決しようとする課題】
【０００３】これまで、消臭剤製品に用いられているガラスや陶磁器、プラスチックスの素材は、用済み後の廃棄処理において環境負荷が高く、よりたやすい処理方法が求められる。
即ち、土に戻しても容易に分解する素材が期待されている。
【課題を解決するための手段】
【０００４】本発明は、天然の素材である繭を消臭剤製品の容器に用いる。繭は１５００メートル余の長さの絹糸で巻き上げ、固められたもので、強靭で通気性をもっている。その上絹糸自体が多孔質である事も特徴で、消臭効果を高めるように働く。
【発明の効果】
【０００５】本発明になる消臭剤製品の容器に繭を用いれば、用済み後の廃棄処理は、これまでより遥かに容易になる。たとえ直接地中に埋設処分しても、腐敗分解してゆき、環境に害を及ぼす事は極めて少ない。
【図面の簡単な説明】
【０００６】
【図１】は、繭の側面図
【図２】は、繭の中から蛹を取り出すための切断箇所を破線で示す。
【図３】は、繭を切断し開口した状態を示す。
【発明を実施するための形態】
【０００７】繭は蛹を取り除く事が望ましい。繭は図２−１の破線部で切断して、蛹を取り出す。この場合、図２−２の部分を切り残すと、薬剤投入後、蓋（３）をかぶせる作業が容易になる。
【０００８】図２−４は壷状の容器となる。投入する薬剤の形態は、粉末や顆粒、半固体（グリース状）などが適する。
【０００９】消臭のための薬剤を塗料に練り込み、繭の外面に塗布することによっても、同様の消臭効果が得られる。
【００１０】本発明に利用できる消臭の為の薬剤の例としては、大日精化工業株式会社の「ダイムシュー」や、出光テクノファイン株式会社の「コーキンマスター」等をあげることができる。
【００１１】繭は消臭剤を投入後、蓋（３）をかぶせ、切断部分を接着して封じる。
【符号の説明】
【００１２】１  …  切断部分を示す破線部
２  …  切り残し部分
３  …  繭を容器として利用する場合の蓋部
４  …  容器となる壷部
５  …  消臭用薬剤の投入口
【図１】
2014079541.tif 000002
【図２】
2014079541.tif 000003
【図３】
2014079541.tif 000004
(57)【要約】      （修正有）【課題】従来の電気かみそりでは、外刃に肌を押し付けることにより密着させていたため、身体の凹凸によって外刃は部分的に肌と密着し、体毛の剃り残しが発生している。【解決手段】小型の外刃を数個備えた電気かみそり１と別体の吸引装置を用い、個々の外刃５へ負圧を与える。外刃の内の数箇所が肌から離れてしまった場合には、そこから負圧が開放されてしまい、全体の気密性が下がってしまうことを防ぐために、個々の外刃の内側から吸引装置を繋ぐ管の間に、空気の流速によって負圧を調整する弁６を設ける。【選択図】図１
2014079384.tif 000002
【特許請求の範囲】
【請求項１】
電動かみそりに空気の負圧を利用し肌への密着性を得る装置において、数個に分割されている回転式電気かみそりの外刃全てに個々の負圧の調整する弁を持たせ、肌から離れた外刃から圧力が損失することを防止し、全体の気密性を保持する構造。  
【請求項２】
電動かみそりに空気の負圧を利用し肌への密着性を得る装置において、外刃が数個に分割されている回転式電気かみそりの外刃全てに個々の負圧を発生させ、この開口部から負圧を発生させる装置までの気密性を保持する構造。  
【請求項３】
電動かみそりに空気の負圧を利用し肌への密着性を得る装置において、数個に分割されている回転式電気かみそりの外刃の外周部に、癖ヒゲを捉えやすいよう、テーパーを設けた構造。  
【発明の詳細な説明】
【技術分野】
【０００１】
本発明は剃り残しが少ない電気かみそりに関するものである    
【先行技術文献】
【特許文献】
【０００２】
【特許文献１】特開２００９−７２４４８
【特許文献２】特開２００１−２１８９８７
【０００３】
【特許文献３】特開２００１−１９０８６８
【発明の概要】
【発明が解決しようとする課題】
【０００４】
従来の電気かみそりでは、外刃に肌を押し付けることにより密着させていたため、身体の凹凸によって外刃は部分的に肌と密着し、体毛の剃り残しが発生している。また、剃りこみ深さも肌へ押し付ける強さにより安定しない。非特許文献にみられるように、電気かみそりの内部より空気の負圧によって肌を吸い込む案は幾つか発案されている。
【０００５】
しかし従来の電気かみそりをそのまま使用し十分な吸い付け効果を得るためには、４００ワット近くの吸い込み力が必要なため非常に大きな装置になり、騒音や振動も大きくなり実用性がない。それを補うために負圧を保持する目的で外刃を囲むカップホルダーや、外刃より高い位置に外壁を設置する手法も考案されているが、肌が外壁に引っ掛かることでしわが発生してしまうため、均等な深剃り効果を得ることが出来ない。
【０００６】
【課題を解決するための手段】
【０００７】
小型の外刃を数個備えた電気かみそりと別体の吸引装置を用い、個々の外刃へ負圧を与える。個々の外刃と肌の間には、密着時にも固着せずに一定の吸着力を保つように、外刃の外周には外壁を設けず、外刃面の位置を電気かみそりの本体より０．５ミリ程度の高さにする。外刃面は肌が吸いつきやすく、しかも吸い付いた時でも滑らせ易くするため平面に近く、外周部にはテーパーを備えていることが望ましい。この事によって小型の外刃へ与える負圧は小さくなり、肌は均等な負圧によって外刃へ吸引され外刃の形状に合わせて密着し、これまでは剃りにくかった産毛やくせ毛を効率よく剃る事が出来る。外刃の内の数箇所が肌から離れてしまった場合には、そこから負圧が開放されてしまい、全体の気密性が下がってしまうことを防ぐために、個々の外刃の内側から吸引装置を繋ぐ管の間に、空気の流速によって負圧を調整する弁を設ける。
【０００８】
【発明を実施するための形態】
【実施例】
【０００９】
以下、図面を参照して本発明の好ましい実施形態について詳細に説明する。
図１は小型の外刃を数個備えた回転式の電気かみそりへ本発明を実施した外観図である。
図２は外部負圧の伝達管に配置された負圧調整弁が開いた状態の斜視図である。見易くするため伝達管を半分に切断した状態で示している。
図３は外部負圧の伝達管に配置された負圧調整弁が閉じた状態の斜視図である。見易くするため伝達管を半分に切断した状態で示している。
【００１０】
図１に示されているように、小型の外刃５自由度を持ちながら電気かみそり１に固定されている。外部負圧の伝達管２は、自由度を妨げないように柔軟性を備えた接続部３によって外刃５と連結されている。外部負圧の伝達管２には負圧調整弁６と、電気かみそりの取り回し易さを向上させるための回転ジョイント４が備えられており、本図には示されていないが、別体の吸引装置と連結されている。
【００１１】
別体の吸引装置から発生された空気の負圧は、外部負圧の伝達管２、回転ジョイント４、負圧調整弁４、接続部３を経て個々の外刃５の内側へ伝えられる。
【００１２】
負圧調整弁６には、固定軸８によって可動板７が回転可能な状態で固定されている。可動板７は弾性板ばね９によって、負圧が掛けられていない状態では図２に示すように、斜め右上へ開いている。負圧が掛けられている状態で、何れかの外刃１と肌が離れている時には、負圧によって離れている外刃１から空気が流入し、その流入速度が一定以上となると、可動板７は図３に示すように弾性板ばね９を押し曲げながら負圧調整弁６の外側へ当たるまで回転移動する。可動板７が負圧調整弁外周部６との隙間を狭くする事で、この伝達管２に流れる風量は少なくなり負圧の開放も減少される。
【００１３】
図３のように、可動板７が閉められた状態でも風流が完全に止まらないように通気孔１０が設けられており、再び外刃１が肌と接触し流入速度が一定以下となった時に、可動板７は弾性板ばね９によって斜め右上へ開く。
このように、可動板７が管内を流れる風速によって移動し、負圧調整弁外周部６との隙間を変化させることで、流入速度が一定以上になった場合に、風量が制限される。その結果、そこから負圧が開放され、全体の気密性が下がってしまうことを防止することができる。
【図面の簡単な説明】
【００１４】
【図１】本発明の好ましい実施形態である小型の外刃を数個備えた回転式の電気かみそりへ本発明を実施した外観図である。
【図２】外部負圧の伝達管に配置された負圧調整弁が開いた状態の斜視図である。
【図３】外部負圧の伝達管に配置された負圧調整弁が閉じた状態の斜視図である。
【符号の説明】
【００１５】
１：  電気かみそり
２：  伝達管
３：  接続部
４：  回転ジョイント
５：  外刃
６：  負圧調整弁
７：  可動板
８：  固定軸
９：  弾性板ばね
１０：通気孔  
【図１】
2014079384.tif 000003
【図２】
2014079384.tif 000004
【図３】
2014079384.tif 000005
(57)【要約】      （修正有）【課題】滝、水路、遠あさ、の波、風等を利用する発電機を提供する。【解決手段】水車等の回転運動でセルロイド系プラスチックを摩擦することで、静電気を発生し発電する。【選択図】図１
2014079148.tif 000002
【特許請求の範囲】
【請求項１】
○水車小屋、波力小屋を設置する。
水車と波力の回転運動を、まさつにより発生した静電気
2014079148.tif 000009
発生して静電気が出来ます。セルロイド系プラスチックまさつ棒とセルロイド系プラスチックが良いと考えらます。新しい考え方です。
【請求項２】
○セルロイド系プラスチックとセルロイド系プラスチックまさつ棒で発生した静電気は銅板に配線をはんだで固定して電力を取り入れる
【発明の詳細な説明】
【技術分野】
【０００１】本発明は、水車と風車を図ったまさつによる静電気発電機械です。
【背景技術】
【０００２】
【特許文献１】水車
【特許文献２】風車
【非特許文献１】水
【非特許文献２】風
【発明の開示】
滝、水路、遠あさ、の波、風等を利用する。
【発明が解決しようとする課題】
【・・・・】
ひかく的、おだやかな自然災害の無い場所を活用する。
【課題を解決するための手段】
【・・・・】
2014079148.tif 000003
【発明の効果】
【・・・・】
2014079148.tif 000004
【発明を実施するための最良の形態】
【・・・・】
2014079148.tif 000005
【実施例】
【・・・・】
2014079148.tif 000006
【産業上の利用可能性】
【・・・・】
2014079148.tif 000007
【図面の簡単な説明】
【・・・・】
【図１】
2014079148.tif 000008
【・・・・】
【符号の説明】
【図１】
2014079148.tif 000010
【図２】
2014079148.tif 000011
【手続補正書】
【提出日】平成24年12月15日(2012.12.15)
【手続補正１】
【補正対象書類名】特許請求の範囲
【補正対象項目名】全文
【補正方法】変更
【補正の内容】
【特許請求の範囲】
【請求項１】
３７℃位のまさつ棒とせっしょくさせる下じきをそなえたまさつ室をつくり電気を発生させて充電をする新しい考え方です。静電気を発生させる考え方です。
【請求項２】
まさつ棒は、風車と水車の回転運動で動ごき、まさつ棒には、ポリエステル１００％を付着させ、下じきは、プラスチックをポリエステル系かセルロイド系２枚使います。
銅板は、電気を伝えます。
【手続補正２】
【補正対象書類名】明細書
【補正対象項目名】全文
【補正方法】変更
【補正の内容】
【発明の詳細な説明】
【技術分野】
【０００１】本発明は、水車と風車を図ったまさつによる静電気発電機械です。
【背景技術】
【特許文献】
【０００２】
【特許文献１】水車
【特許文献２】風車
【非特許文献】
【非特許文献１】水
【非特許文献２】風
【発明の概要】
滝、水路、遠あさ、の波、風等を利用する。
【発明が解决しようとする課題】
【０００３】静電気が発生しやすい素材を利用又は、活用する。
【課題を解決するための手段】
【０００４】素材は、ポリエステル１００％同士のまさつ又は、下じきに銅板とプラスチック等をまさつさせる事と、太陽が良く当たる事。
【発明の効果】
【０００５】無人力で電気が発生出来て、案外活用出来ます。
【発明を実施するための最良の形態】
【０００６】まさつ棒にポリエステルを使い、まきつけて、下じきを銅板、プラスチック系ポリエステルで電力を集めて充電する事
【実施例】
【０００７】まだ行なわれていません。これからのメカです。
【産業上の利用可能性】
【０００８】十分役に立ちます。
【図面の簡単な説明】
【０００９】
【図１】〜水車の回転運動をまさつ棒に力を加えて、したじきとの、せっしょくによって、せい電気を発生させて、電力に変える。まめ電球がつくので充電に利用できる。配電送もかのうです。
【図２】風車の回転運動をまさつ棒に伝えてしたじきとせっしょくさせて豆電気がつくので、充電や配送電に利用かのうです。
【手続補正４】
【補正対象書類名】図面
【補正対象項目名】図１
【補正方法】変更
【補正の内容】
【図１】
2014079148.tif 000012
【手続補正５】
【補正対象書類名】図面
【補正対象項目名】図２
【補正方法】変更
【補正の内容】
【図２】
2014079148.tif 000013
(57)【要約】【課題】    エネルギー問題を解決しなければ、石油の枯渇などが懸念される。【解決手段】    モーターのコイルを二組にし、モーターと二つ目のモーターをつないで、エネルギーを消耗せずに動かす永久機関を作る。【特許請求の範囲】
【請求項１】
モーターはコイルを増やせばその効果が期待できる。モーターＡにモーターＢの動力を伝え、モーターＡに二倍の効果を生む二組のコイルに電流を発生させ、その電気でモーターＢを動かすのと、発電機として電気を供給することのできる永久機関。
【請求項２】
モーターのコイルを二組にするなどを行い、発電装置を設けた請求項１記載の永久機関。
【発明の詳細な説明】
【技術分野】
【０００１】本発明は、発電するための永久機関に関する。
【背景技術】
【０００２】ガソリンを消費して発電する発電機がある。
【発明の概要】
【発明が解決しようとする課題】
【０００３】エネルギーを消費して起動するものはある。【０００４】本発明は、永久機関を使って発電することでエネルギー問題を解決するものである。
【課題を解決するための手段】
【０００５】モーターＡに二組のコイルを用い、一方のコイルはモーターＢにつなぎ、もう一方のコイルは電源として電気を出力する。モーターＢの動力をモーターＡに伝える。モーターＡを回転させると、モーターＡに動力、モーターＢに電気が通い、永久的に両方のモーターが回転する。
【発明の効果】燃料不用の原動力として活用できる。